(57)【要約】【課題】比較的大きな空間を迅速に加湿できる加湿器を提供する。【解決手段】縦長なケース内の下部にポンプ室を設け、該ポンプ室の上部を貯水タンクを取り出し自在に収容するタンク室、該タンク室の上部を送風空間とし、該送風空間に面する前記ケースの側壁に吸気口を設け、前記ケースの上面中央より上部ダクトを突設し、該上部ダクトとの連通口に送風ファンを設置し、前記上部ダクトの上枠部にノズルを設置すると共に該ノズルの外周に送風口を設け、該送風口から前記送風ファンで吸い込んだ空気を吹き出すと共に、前記タンク室に着脱自在にセットするタンク内の水を前記ポンプ室内に設置するポンプで前記ノズルに供給して該ノズルから噴霧し、該ノズルの外周の前記送風口から前記送風ファンで吸い込んだ空気を送風する構成としている。【選択図】図１
2015137828.tif 000002
【特許請求の範囲】
【請求項１】
縦長なケース内の下部にポンプ室を設け、該ポンプ室の上部を貯水タンクを取り出し自在に収容するタンク室とし、該タンク室の上部を送風空間とし、該送風空間に面する前記ケースの側壁に吸気口を設け、
前記送風空間を囲む前記ケースの上面中央より上部ダクトを突設し、該上部ダクトとの連通口に送風ファンを設置し、前記上部ダクトの上部枠部にノズルを設置すると共に該ノズルの外周に送風口を設け、該送風口から前記送風ファンで吸い込んだ空気を吹き出すと共に、前記タンク室にセットする貯水タンク内の水を前記ポンプ室内に設置するポンプで前記ノズルに供給して該ノズルから噴霧し、該ノズルの外周の前記送風口から前記送風ファンで吸い込んだ空気を送風する構成としている加湿器。
【請求項２】
前記タンク室には複数の貯水タンクを並列して設置し、かつ、前記ケースの上面中央より突設する上部ダクトはＴ形状とし、該上部ダクトの上部横枠部の少なくとも左右両側にノズルを設置すると共に各ノズルの外周に送風口を設けている請求項１に記載の加湿器。
【請求項３】
前記タンク室内に収容する複数の貯水タンクは、３個の貯水タンクを左右並列に収容し、または６個の貯水タンクを前後にそれぞれ左右３個並列として収容し、合計タンク容量を３〜６０リットルとし、各貯水タンクから順次自動的に前記ポンプへ給水し、該ポンプからノズルに給水し
前記ノズルの噴霧量は１〜２０リットル／ｈとし、１時間〜６０時間の連続運転を可能としている請求項１または請求項２に記載の加湿器。
【請求項４】
前記送風ファンの送風量は０．５〜１０ｍ3／minとし、前記ノズルからの噴霧が送風により飛ばされる有効飛距離を２ｍ〜１５ｍとし、噴霧量／送風量が６．９×１０-3〜２８×１０-3としている請求項１乃至請求項３のいずれか１項に記載の加湿器。
【請求項５】
ケースの底面に車輪を備え、かつ、
外部湿度を検知するセンサーを備えると共に、該センサーと接続した湿度表示部を備え、かつ、設定湿度および運転時間を設定する操作スイッチを備えている請求項１乃至請求項４のいずれか１項に記載の加湿器。
【発明の詳細な説明】
【技術分野】
【０００１】
本発明は加湿器に関し、特に、介護福祉施設、病院、学校、大型店舗等の待合室に配置され、省エネルギーで大噴量のミストを広範囲に噴霧して、湿度を適切にコントロールできる業務用加湿器として好適に用いられるものである。
【背景技術】
【０００２】
この種の業務用の加湿器として、本出願人は特開平８−２７８０４７号公報で図１３（Ａ）（Ｂ）に示す加湿器１００を提供している。該加湿器１００は超微粒ミストを広範囲で噴霧できるノズル１０１を備え、工場等の広い空間を所要の快適湿度に省エネルギーで保持出来る利点を有する。
【０００３】
該加湿器１００は、天井に配管している水供給管１０２と圧搾空気供給管１０３にノズル１０１を所要間隔をあけて吊り下げている。該ノズル１０１に設けた水導入管部１０６を水供給管１０２に接続し、１０〜５０ｃｃの小容量の貯水室１０８に水を供給し、かつ、空気導入管部１０７を圧搾空気供給管１０３に連続して圧搾空気を供給している。このように配管より水と圧搾空気とを常時供給可能とした加湿器１００は、ノズル１０１から水と圧搾空気とを噴霧し、かつ、ノズル１０１を対向配置して衝突混合させて水滴を微粒化して噴霧している。
【先行技術文献】
【特許文献】
【０００４】
【特許文献１】特開平８−２７８０４７号公報
【発明の概要】
【発明が解決しようとする課題】
【０００５】
特許文献１の加湿器１００は、前記のように、水供給管１０２と圧搾空気供給管１０３に吊り下げて取り付け、加湿器１００に常時水および圧力空気が供給できるようにしている。しかしながら、天井に水供給管および圧搾空気供給管を配管して吊り下げると設置工事が必要となり、かつ、加湿器の設置箇所によっては配管工事ができない場合も多い。よって、これらの配管無しで、簡単に設置でき、大噴量のミストを広い範囲に噴射でき、しかも、省エネルギーで維持費が低コストにできる加湿器が求められている。
【０００６】
よって、本発明は、配管の必要がなく、任意の位置に設置でき、噴量が多く、広い範囲に噴霧でき、業務用として好適に用いられる加湿器を提供することを課題としている。
【課題を解決するための手段】
【０００７】
前記課題を解決するため、本発明は、縦長なケース内の下部にポンプ室を設け、該ポンプ室の上部を貯水タンクを取り出し自在に収容するタンク室とし、該タンク室の上部を送風空間とし、該送風空間に面する前記ケースの側壁に吸気口を設け、
前記送風空間を囲む前記ケースの上面中央より上部ダクトを突設し、該上部ダクトとの連通口に送風ファンを設置し、前記上部ダクトの上部枠部にノズルを設置すると共に該ノズルの外周に送風口を設け、該送風口から前記送風ファンで吸い込んだ空気を吹き出すと共に、前記タンク室にセットする貯水タンク内の水を前記ポンプ室内に設置するポンプで前記ノズルに供給して該ノズルから噴霧し、該ノズルの外周の前記送風口から前記送風ファンで吸い込んだ空気を送風する構成としている加湿器を提供している。
【０００８】
前記タンク室には複数の前記貯水タンクを並列して設置し、かつ、前記ケースの上面中央より突設する上部ダクトはＴ形状とし、該上部ダクトの上部横枠部の少なくとも左右両側にノズルを設置すると共に各ノズルの外周に前記送風口を設けていることが好ましい。
【０００９】
前記タンク室内に収容する複数の貯水タンクは、３個の貯水タンクを左右並列に収容し、または６個の貯水タンクを前後にそれぞれ左右３個並列として収容し、合計タンク容量を３〜６０リットルとし、各貯水タンクから順次自動的に前記ポンプへ給水し、該ポンプからノズルに給水し、
前記ノズルの噴霧量は１〜２０リットル／ｈとし、１時間〜６０時間の連続運転を可能としていることが好ましい。
【００１０】
また、前記送風ファンの送風量は０．５〜１０ｍ3／minとし、前記ノズルからの噴霧が送風により飛ばされる有効飛距離を２ｍ〜１５ｍとし、噴霧量／送風量が６．９×１０-3〜２８．０×１０-3とすることが好ましい。
【００１１】
前記ケースの底面に車輪を備え、かつ、外部湿度を検知するセンサーを備えると共に、該センサーと接続した湿度表示部を備え、かつ、設定湿度および運転時間を設定する操作スイッチを備えている。
【００１２】
さらに、前記上部ダクトへの前記ノズルの取り付け角度を調節できる操作部を備えていることが好ましい。
【００１３】
加湿器に取り付ける前記ノズルは、水を加圧噴射する一流体タイプのノズルが好適に用いられる。該ノズルは平均粒子径１０μｍ〜５０μｍの超微粒の液滴を噴霧し、対象物に濡れを発生させないものが好ましい。なお、圧搾空気と水を混合噴射する二流体タイプのノズルでもよい。
【発明の効果】
【００１４】
本発明では、加湿器に付設したノズルから噴射する噴霧を、ノズル外周に設けた送風口から吹き出す送風にのせて噴射するため、広い範囲を効率よく短時間で所要の湿度に加湿できる。よって、ノズルから噴霧のみを発生する加湿器を使用する場合と比較して、加湿効果を飛躍的に高めることが出来き、比較的広い範囲の施設の空間を迅速に最適な湿度とすることができる。
【図面の簡単な説明】
【００１５】
【図１】本発明の第１実施形態の加湿器を示し、（Ａ）は斜視図、（Ｂ）は左側面図、（Ｃ）は平面図である。
【図２】（Ａ）は前記加湿器の内部の構成を示す概略正面図、（Ｂ）は加湿器に設けたノズルの噴射方向を示す一部側面図である。
【図３】（Ａ）は前記加湿器の内部を示す斜視図、（Ｂ）はタンク受け部分の断面図である。
【図４】タンクを含む給水機構を示し、（Ａ）は正面側から見た斜視図、（Ｂ）は背面側から見た斜視図である。
【図５】給水系統を示すフロー図である。
【図６】空気系統を示すフロー図である。
【図７】前記加湿器の上部ダクトの内部を示す断面図である。
【図８】前記加湿器に取り付けるノズルを示し、（Ａ）は断面図、（Ｂ）はノズルチップの説明図である。
【図９】（Ａ）（Ｂ）は前記加湿器の上部ダクトの一部斜視図である。
【図１０】前記加湿器の湿度表示パネルの正面図である。
【図１１】前記加湿器の操作スイッチを示す平面図である。
【図１２】（Ａ）（Ｂ）は第２実施形態の概略図である。
【図１３】（Ａ）（Ｂ）は従来例の斜視図である。
【発明を実施するための形態】
【００１６】
以下、本発明の実施形態を図面を参照して説明する。
図１乃至図１１に本発明の可搬式のフロア設置タイプの第１実施形態の加湿器を示す。該加湿器１はケース１０に設けたノズル２と送風ファン３により送風つき噴霧を行って加湿するものである。
【００１７】
第１実施形態の加湿器１は、容量が１〜１０リットル／１本の貯水タンク５を複数個収容しており、タンク総容量を３〜３０リットル、噴霧量を１〜２０リットル／ｈ、送風量を０．５〜１０ｍ３／ｍｉｎ、加湿範囲を１００〜１５０ｍ２としている。
本第１実施形態では、水を噴霧する一流体の前記ノズル２を２個備えると共に、６リットル／１本の貯水タンク５を３個収容し、タンク容量を合計１８リットルとしている。噴霧量は約４．７リットル／ｈ、送風量が約３ｍ３／ｍｉｎ、加湿範囲は約１００ｍ２である。
【００１８】
加湿器１は、縦長直方型のケース１０の底面１０ａの四隅に車輪１０−Ｒを備え、各車輪１０−Ｒにストッパー１０−Ｓを付設し、フロア上を走行させて任意の箇所へ移動し、所要位置でストッパー１０−Ｓを動作して停止できるものとしている。
【００１９】
ケース１０の上面１０ｂの中央に開口１０ｃを設け、該開口１０ｃを囲む状態で略Ｔ字型の上部ダクト１２を上向きに突出している。該上部ダクト１２は下部縦部材となる四角筒１２ａと、上部横部材となる円筒パイプ１２ｂとを備えている。前記四角筒１２ａの表面に湿度表示パネル６を設けている。上部の円筒パイプ１２ｂの左右両側の表面に内部に収容する前記送風ファン３からの送風の送風口１４を設け、該送風口１４の中央に整流板１５で支持して噴霧発生用の前記ノズル２（２Ａ、２Ｂ）を設けている。
【００２０】
ケース１０の内部は上下方向の下端から略１／３位置に仕切壁７を設け、該仕切壁７の下部をポンプ室９とし、上部をタンク室８として分けている。図３に示すように、仕切壁７の上面にタンク受け材１１を設置し、該タンク受け材１１の上面に３つの貯水タンク５を並列状態で設置できる受け部１１ａを設けている。
【００２１】
各貯水タンク５は、図３（Ｂ）に示すように、本体５ａの下端に開口５ｂを設け、開口５ｂをキャップ５ｃで開閉している。キャップ５ｃの中央に注出穴５ｄがあり、該注出穴５ｄに取り付けた開閉ロッド５ｅで閉鎖している。タンク受け材１１の各受け部１１ａに突起１１ｂを突設している。各受け部１１ａに貯水タンク５がセットされると、突起１１ｂにより開閉ロッド５ｅが押し上げられて、注出穴５ｄよりタンク受け材１１の溜水部１１ｃに出水されるようにしている。
【００２２】
タンク受け材１１の各溜水部１１ｃの下面に給水管１７に連続する給水口１１ｇを設け、該給水口１１ｇの上面にストレーナ１８を設置すると共に、給水管１７に給水電磁弁１９を介設し、該給水管１７の先端をサブタンク２０に連続させている。また、溜水部１１ｃの底面に水位センサ２１を設置し、１つの溜水部１１ｃ内の水位が設定レベル以下になると、該１つの貯水タンク５の水が無くなることから、他の貯水タンク５の給水電磁弁１９を開いてサブタンク２０へ給水している。
【００２３】
図４および図５に示すように、サブタンク２０から配管２３を通してメインポンプ２５へ給水し、該メインポンプ２５の吐出口から配管２６をへて上部ダクト１２の円筒パイプ１２ｂ内の配水管２７に給水している。該配水管２７の左右両端にそれぞれ回転自在に接続した右配水管２８Ａから右ノズル２Ａへ水を供給し、左配水管２８Ｂから左ノズル２Ｂへ水を供給している。
【００２４】
前記メインポンプ２５は直結したモータ２９で駆動している。ノズル２（２Ａ、２Ｂ）からの噴霧時にモータ２９を起動してメインポンプ２５を駆動し、所要の水圧としてノズル２へ水を供給している。メインポンプ２５には圧力計、調圧弁を付設している。
前記サブタンク２０には空気抜き用のリリーフ弁、プライマリーポンプ２４を介して空気抜きパイプを付設すると共に、長期間使用しない時の水抜きバルブを付設している。
前記プライマリーポンプ２４は運転初期および水抜き後の再始動時のポンプ内のエアーを抜いてポンプ内に水を充満させるために設置している。よって、長期間使用しない時に作業員が作動して水をスムーズにメインポンプ２５へ流通させるようにしている。
前記給水管１７、配管２３、２６は可撓性のチューブからなり、円筒パイプ１２ｂ内の配水管２７および左右配水管２８Ａ、２８Ｂは金属製または硬質樹脂製のパイプからなる。
【００２５】
ノズル２Ａ、２Ｂへの給水経路は、図５に示すように、貯水タンク５→タンク受け材１１の溜水部１１ｃ→サブタンク２０→メインポンプ２５→配水管２６→上部ダクト１２の円筒パイプ１２ｂ内の配水管２７、左右配水管２８Ａ、２８Ｂ→左右ノズル２Ａ、２Ｂとなる。
【００２６】
ノズル２Ａ、２Ｂの外周から吹き出す送風の経路を図６に示す。
具体的には、図２に示すように、タンク受け材１１に設置した貯水タンク５の上面とケース１０の上面１０ｂとの間に空間を設け、該空間を通風空間３０としている。該通風空間３０に面するケース１０の一側面１０ｄに吸気用開口を閉鎖する多孔板３２を取り付け、該多孔板３２の多数の開口を吸気口３２ａとし、該多孔板３２のケース内面側にフィルタ３５を取り付けている。
【００２７】
前記通風空間３０の上面のケース上面１０ｂの中央の開口１０ｃを閉鎖する状態で前記送風ファン３を取り付け、吸気口３２ａから流入した空気Ａの一部は通風空間３０より送風ファン３で上部ダクト１２へ吸い込んでいる。図７に示すように、上部ダクト１２の四角筒１２ａ内を通して円筒パイプ１２ｂ内に流入し、左右パイプ１２ｂ１、１２ｂ２をへて整流板１５を通って、左右のノズル２（２Ａ、２Ｂ）の外周の送風口１４より吹き出している。
ノズル２はノズルカバー３７内の空間中央に整流板１５を介して支持し、ノズル２の外周空間を送風口１４とし、該送風口１４の奥側に前記整流板１５を設置している。
【００２８】
ノズル２（２Ａ、２Ｂ）は、水を加圧噴射する一流体タイプの図８に示す構造としている。該ノズル２として本出願人の先願である特開２００８−１０４９２９号公報で提示したノズルである。ステンレスからなる筒状の本体４２、該本体４２の噴射側壁４２ｂの内面に固定したノズルチップ４３からなり、ノズルチップをアルミナで形成している。本体４２は円筒状の周壁４２ａの一端を噴射側壁４２ｂで閉鎖し、その中央に穴４２ｃを設ける一方、周壁４２ａの他端は開口４２ｄとし、開口４２ｄは前記配管２８Ａ、２８Ｂと連通し、本体４２の中空部４２ｅに流入している。
【００２９】
前記ノズルチップ４３は大略円盤形状とし、本体４２の噴射側壁４２ｂの内面に固定している。ノズルチップ４３は中心に噴射穴４３ａを備え、噴射穴４３ａから水を霧状として噴射する構成としている。該噴射穴４３ａは、流入側から縮径するテーパ状穴部４３ａ−１と、該テーパ状穴部４３ａ−１に連続して穴４２ｃに連通する小径穴部４３ａ−２とからなる。図８（Ｂ）に示すように、ノズルチップ４３の内面には９０度間隔をあけて円弧状に湾曲させた旋回溝４３ｂを設け、これら旋回溝４３ｂの内周端をテーパ状穴部４３ａ−１の周縁と連通させ、旋回溝４３ｂを通して水を旋回させながら流入する構成としている。
【００３０】
前記ノズル２では、水供給管２６から本体４２に流入する水は噴射側において、ノズルチップ４３の旋回溝４３ｂを通り、旋回流となって噴射穴４３ａのテーパ状穴部４３ａ−１に流入する。テーパ状穴部４３ａ−１内で、該穴部の内周面に沿って旋回しながら衝突するため、水滴が微細化される。該テーパ状穴部４３ａ−１より噴射側の小径穴部４３ａ−２に流入し、さらに、連通した本体４２の噴口４２ｃから１０〜３０μｍの微粒子の水滴を含むセミドライフォグを噴射するものとしている。
なお、前記ノズル２に代えて、本出願人の特許第５１１８４１０号で提供しているチェックバルブを備えたスプレーノズルを用いてもよい。
また、前記一流体ノズルに代えて、圧搾空気と水を混合噴射する二流体タイプのスプレーノズルを用いてもよい。
【００３１】
ノズル２から噴射する噴霧の水滴の平均粒子径を１０〜５０μｍ、好ましくは１０〜３０μｍのセミドライフォグの噴霧としている。ノズル２の周囲の送風口１４から吹き出される空気とノズル２からの噴霧の水滴が混合して飛散する。飛散距離は２ｍ〜１５ｍ程度であり、本実施形態の加湿器１では８ｍ飛散し、周囲を効率よく加湿できる。
【００３２】
前記ノズル２（２Ａ、２Ｂ）を設置する上部ダクト１２は、前記のように、四角筒１２ａの上部に円筒パイプ１２ｂを備えた形状で、詳細には、図１に示すように、四角筒１２ａの円弧状の上部閉鎖１２ａ１の左右両側に円筒パイプ１２ｂ３、１２ｂ４を固定し、これら円筒パイプ１２ｂ３、１２ｂ４の先端開口にそれぞれ側面蓋１２ｆを取り付けている。かつ、左右の側面蓋１２ｆの中央に回転操作レバー５０をそれぞれ回転自在に取り付け、該回転操作レバー５０は図７および図９（Ａ）に示すように、配水管２７の左右両端に回転軸受５３を介して連結した回転軸５４に固定し、該回転軸５４をノズルカバー３７と固定している。よって、回転操作レバー５０の回転で回転軸５４を介してノズルカバー３７、前記円筒パイプ１２ｂ１、１２ｂ２を回転させ、該ノズルカバー３７内に支持されたノズル２および送風口１４を回転できるようにしている。この回転操作レバー５０の回転は図９（Ｂ）に示すように、回転操作レバー５０の先端側に取り付けたストッパ５６が側面蓋１２ｆに設けた凹溝５７内を回転できるようにし、回転角度を上向き３０度〜７５度の範囲で調節可としている。
【００３３】
また、前記図６に示すように、前記吸気口３２ａおよびフィルタ３５を通して吸い込む空気Ａは、下部のポンプ室９へモータ冷却用として導入している。具体的には、前記吸気口３２ａの下部および側面で、ケース側面１０ｄの内面をコ字材で囲んで形成した下部ダクト３６を設け、該下部ダクト３６を下方のポンプ室９へ延在させ、前記吸気口３２ａより吸い込まれる空気Ａの残部を下部ダクト３６の上面開口から吸引して下部のポンプ室９へモータ冷却用として導入している。かつ、ポンプ室９内の空気をタンク室８へ還流して、送風ファン３よりノズル２へと供給している。
【００３４】
前記ポンプ室９を囲むケース１０の前後左右の周壁内面および底壁上面さらに仕切壁７の下面に、図２（Ａ）に示すように、ウレタン等からなる防音材３９を取り付け、ポンプ室９内に設置するモータ２９、ポンプ２５等により発生する駆動音を吸音して外部に漏れる駆動音を大幅に低減している。
【００３５】
また、図２（Ｂ）に示すタンク室８の上部の通風空間３０で、前記吸気口３２ａの上部に外部温度および湿度を検知する温湿度センサ６０を設置し、外部から吸気で温度および湿度を検知している。上部ダクト１２の四角筒１２ａの表面に設けた湿度表示パネル６に温湿度センサ６０を接続して、湿度を表示している。
【００３６】
かつ、上部ダクト１２の四角筒１２ａの正面に、前記のように、湿度表示パネル６を取り付けている。詳細には、図１０に示すように、現在湿度を％表示している。かつ、該湿度表示パネル６の下部に３つのタンク５の給水状態の表示部６６を設けている。３つのタンクに対応して「給水１、給水２、給水３」を表示し、各上部に各タンク内の水が無くなったら前記水位センサで感知してランプを点灯させる表示部６６ａを設けている。
【００３７】
ケース１０の上面１０ｂに、図２（Ｂ）に示すように、操作スイッチ６２を蓋６３で開閉される凹部６４内に設け、該操作スイッチ６２を前記温湿度センサ６０と接続している。操作スイッチ６２は図１１に示すように、電源入切スイッチ６２ａ、湿度設定スイッチ６２ｂ、運転時間スイッチ６２ｃ、スタート／一時停止スイッチ６２ｄからなる。
【００３８】
かつ、該操作スイッチ６２と接続して制御部６５をケース１０の上部に収容している。該制御部６５は、送風ファン３、モータ２９、電磁開閉弁１９等を制御し、操作スイッチ６２で設定された湿度になるように、設定時間駆動している。
【００３９】
また、加湿器１のケース１０の背面では、タンク室８の背面にあたる部分は貯水タンク５の出入口１０ｈとして開口し、開閉蓋１０ーＢで開閉している。かつ、ケース１０の背面の上端の左右両側に一対の取り手１０ーＣを設け、該取り手１０−Ｃを把持して押すことで、下端の車輪１０−Ｒをフロア上で移動させて、任意の箇所へ一人で搬送できるものとしている。
【００４０】
前記構成からなる本発明の加湿器１は、介護福祉施設、病院、学校等の大規模施設の待合室等の閉鎖しにくい生活空間の湿度を制御したい場合で、かつ、天井に水配管や空気配管を設置しにくい場合に好適に用いられるものである。
この加湿器１は、ケース１０の底面に車輪１０−Ｒを設けて移動式としているため、フロアに沿って容易に移動でき、所定位置でストッパー１０−Ｓを倒して定置できる。
このように、任意の位置に容易に移動できるため、ケース１０内に収容する３つの貯水タンク５の水が無くなると、加湿器１自体を水道の蛇口近くへ移動して、給水した貯水タンク５の搬送距離を縮め、貯水タンク５への使用者の水供給作業を容易とすることができる。
一方、加湿器１の運転中においても、複数の貯水タンク５を搭載しているため、水が無くなった貯水タンク５だけを持ち出して給水でき、給水中に運転を停止せずに連続運転を可能としている。
【００４１】
かつ、加湿器１の設置場所に応じて、ノズル２（２Ａ、２Ｂ）の噴霧方向を回転操作レバー５０を回すだけで所要角度に調節でき、本実施形態では上向き３０度〜７５度の範囲で調節できる。さらに、操作スイッチ６２を操作して運転時間、湿度を設定しておくと、長時間自動運転が行える。
【００４２】
また、運転時には、ノズル２から噴霧を発生させると共に、収容した送風ファン３でノズル２の回りの送風口１４から送風を発生させ、ノズル２からの噴霧を送風により広範囲に送ることで、周囲を迅速に加湿することができる。
【００４３】
図１２（Ａ）（Ｂ）に第２実施形態の加湿器を示す。      
該加湿器１−Ｂは第１実施形態の加湿器１より大型とし、図１２（Ａ）に示すように、タンク室内に、前部タンク受け材と後部タンク受け材とからなる前後タンク受け１１を設けている。該前後タンク受け材にそれぞれ３列に貯水タンク５を収容できるようにし、合計６本の貯水タンク５を収容できるものとしている。前部タンク受け材の前端および後部タンク受け材の後端のそれぞれ溜水部１１ｃを連続して設けている。
【００４４】
加湿器１−Ｂの内部構成は、上部ダクト１２の円筒パイプ１２ｂに前後２本の配水管２７Ａ、２７Ｂを配管し、前後に設置したタンク５から第１実施形態と同様な経路で水を供給している。また、円筒パイプ１２ａの前後両側にそれぞれ左右一対のノズル２Ａ〜２Ｄを設置し、加湿器１−Ｂの前方と後方とに送風つき噴霧を噴射できるようにしている。
他の構成は第１実施形態と同様であるため、説明を省略する。
【００４５】
また、前記実施形態では、ノズルからの噴霧時に送風ファンを駆動して噴霧の回りから送風を送っているが、該送風つき噴霧と、ノズルのみを駆動して噴霧のみ、送風ファンのみを駆動して送風のみを選択して行えるようにしてもよい。
【００４６】
前記のように、本発明の広範囲の加湿を迅速に行える加湿器は業務用として好適に用いられるが、個人住宅においても広い部屋に設置することもできる。
本発明は前記実施形態に限定されず、本発明の要旨を逸脱しない範囲で種々の形態として利用できる。
【符号の説明】
【００４７】
１  加湿器
２（２Ａ、２Ｂ）  ノズル
３  送風ファン
５  貯水タンク
８  タンク室
９  ポンプ室
１０  ケース
１１  タンク受け材
１２  上部ダクト
【図１】
2015137828.tif 000003
【図２】
2015137828.tif 000004
【図３】
2015137828.tif 000005
【図４】
2015137828.tif 000006
【図５】
2015137828.tif 000007
【図６】
2015137828.tif 000008
【図７】
2015137828.tif 000009
【図８】
2015137828.tif 000010
【図９】
2015137828.tif 000011
【図１０】
2015137828.tif 000012
【図１１】
2015137828.tif 000013
【図１２】
2015137828.tif 000014
【図１３】
2015137828.tif 000015